(57)【要約】【課題】外観を損なわず且つ照明器具の取り付けが制限されることなく外部のリモコンから送信される無線信号の受信感度を向上することのできる配線ダクトを提供する。【解決手段】一対の長尺の給電部材１と、給電部材１を収納するダクト本体２と、上面が天井７に取り付けられて下面においてダクト本体２を保持する保持部３と、保持部３内部に収納されて外部のリモコンから送信される無線信号を受信する受光素子４０とを備え、保持部３下面の底壁部３０を左右方向における略中央を頂点とするように下方に湾曲させ、底壁部３０の右側前端部に設けられたカバー３２に、受光素子４０を外部に臨ませる受光窓６２と、受光窓６２よりも大きい径を有する開口窓６３とを貫設し、受光窓６２の周縁と開口窓６３の周縁とを繋ぐ擂り鉢状の第一の傾斜部６０及び第二の傾斜部６１を底壁部３０と一体に形成した。【選択図】図１
2008010200.tif 000002
【特許請求の範囲】
【請求項１】
複数の長尺の給電部材と、長尺の箱体であって長手方向に沿って一面が開口し複数の給電部材を互いに対向し且つ長手方向に沿うように収納したダクト本体と、裏面が被設置面に取り付けられて表面においてダクト本体を保持する保持部と、保持部に収納されて外部のリモコンから送信される光を媒体とする無線信号を受信する受光素子と、保持部に収納されて受光素子で受信された無線信号に応じて給電部材への給電を入／切する制御部とを備え、ダクト本体の開口に着脱自在に取り付けられる照明器具に対して給電部材を介して給電する配線ダクトであって、保持部の表面には、受光素子を外部に臨ませる受光窓と、受光窓よりも大きい径を有する開口窓と、受光窓の周縁と開口窓の周縁とを繋ぐ擂り鉢状の傾斜面とがダクト本体を挟んだ何れか一方の側に設けられ、開口窓は、ダクト本体に近い側に対してダクト本体から遠い側が被設置面に近づく方向に傾斜することを特徴とする配線ダクト。
【請求項２】
前記受光素子の光軸に対してダクト本体から遠い方の傾斜面は、該傾斜面と平行な直線と受光素子の光軸との成す角度が４５度以上となるように形成されたことを特徴とする請求項１記載の配線ダクト。
【請求項３】
前記受光素子の光軸に対してダクト本体に近い方の傾斜面は、該傾斜面と平行な直線と受光素子の光軸との成す角度が４５度以下となるように形成されたことを特徴とする請求項１又は２記載の配線ダクト。
【発明の詳細な説明】
【技術分野】
【０００１】
本発明は、一乃至複数の照明器具が着脱自在に取り付けられる配線ダクトに関する。
【背景技術】
【０００２】
従来から、天井面又は壁面に固定されてスポットライトやダウンライト等の照明器具が着脱自在且つ移動自在に接続される配線ダクトが提供されており、例えば特許文献１に開示されている。この配線ダクトは、天井に設けられた引掛埋込ローゼット又は引掛埋込ローゼットに固定された取付金具に着脱可能に連結される取付部を、一面を開口した長尺のダクト本体の略中央に備えたもので、該取付部に室内を主として照明する吊下型の主照明器具が取り付けられ、ダクト本体の開口部に室内を部分的に照明するスポットライト等の補助照明器具が取り付けられる。取付部は、外部のリモコンから送信される無線信号に応じて主照明器具及び補助照明器具への給電を制御する点灯制御回路と、外部のリモコンからの無線信号を受信する受光器とを収納している。
【特許文献１】特開平４−３５１８０２号公報
【発明の開示】
【発明が解決しようとする課題】
【０００３】
しかしながら、上記従来例では、取付部がダクト本体の中央部においてダクト本体の開口を覆うようにして取り付けられているため、配線ダクトの外観を損なう上に配線ダクトの中央部に照明器具を移動自在に取り付けることができないという問題があった。また、仮に受光器を違う箇所に配置したとしても、リモコンからの無線信号の受信感度を損なってしまうという問題があった。
【０００４】
本発明は、上記の点に鑑みて為されたもので、外観を損なわず且つ照明器具の取り付けが制限されることなく外部のリモコンから送信される無線信号の受信感度を向上することのできる配線ダクトを提供することを目的とする。
【課題を解決するための手段】
【０００５】
請求項１の発明は、上記目的を達成するために、複数の長尺の給電部材と、長尺の箱体であって長手方向に沿って一面が開口し複数の給電部材を互いに対向し且つ長手方向に沿うように収納したダクト本体と、裏面が被設置面に取り付けられて表面においてダクト本体を保持する保持部と、保持部に収納されて外部のリモコンから送信される光を媒体とする無線信号を受信する受光素子と、保持部に収納されて受光素子で受信された無線信号に応じて給電部材への給電を入／切する制御部とを備え、ダクト本体の開口に着脱自在に取り付けられる照明器具に対して給電部材を介して給電する配線ダクトであって、保持部の表面には、受光素子を外部に臨ませる受光窓と、受光窓よりも大きい径を有する開口窓と、受光窓の周縁と開口窓の周縁とを繋ぐ擂り鉢状の傾斜面とがダクト本体を挟んだ何れか一方の側に設けられ、開口窓は、ダクト本体に近い側に対してダクト本体から遠い側が被設置面に近づく方向に傾斜することを特徴とする。
【０００６】
請求項２の発明は、請求項１の発明において、受光素子の光軸に対してダクト本体から遠い方の傾斜面は、該傾斜面と平行な直線と受光素子の光軸との成す角度が４５度以上となるように形成されたことを特徴とする。
【０００７】
請求項３の発明は、請求項１又は２の発明において、受光素子の光軸に対してダクト本体に近い方の傾斜面は、該傾斜面と平行な直線と受光素子の光軸との成す角度が４５度以下となるように形成されたことを特徴とする。
【発明の効果】
【０００８】
請求項１の発明によれば、保持部内部に受光素子が配置されるので、受光素子を目立たなくすることができ、したがって配線ダクトの外観を損なうことがない。また、開口窓及び傾斜面を設け且つ開口窓を傾斜させたので、受光素子の無線信号の受光範囲を広げることができ、したがって無線信号の受信感度を向上することができる。さらに、ダクト本体の開口が塞がれることがないので、照明器具の取り付け箇所の制限が無くなり、したがって照明器具をダクト本体に自由に取り付けることができる。
【０００９】
請求項２の発明によれば、受光素子の無線信号の受光範囲を広げると共に、ダクト本体の中央部近傍に取り付けられた照明器具によって反射される無線信号を受信し易くなり、したがって無線信号の受信感度を向上することができる。
【００１０】
請求項３の発明によれば、受光素子の無線信号の受光範囲を広げると共に、ダクト本体の中央部近傍に取り付けられた照明器具によって反射される無線信号を受信し易くなり、したがって無線信号の受信感度を向上することができる。
【発明を実施するための最良の形態】
【００１１】
以下、本発明の配線ダクトを天井に取り付けた場合について図面を用いて説明する。尚、本実施形態では天井に取り付けているが、例えば壁面などの被設置面に取り付けても構わない。以下の説明では図１（ｂ）における上下左右を上下左右方向、紙面の手前側を前方向、紙面の奥側を後方向と定める。
【００１２】
本実施形態は、一対の長尺の給電部材１と、給電部材１を収納するダクト本体２と、上面が天井７に取り付けられて下面においてダクト本体２を保持する保持部３と、保持部３に収納されて外部のリモコン（図示せず）から送信される光を媒体とする無線信号を受信する受光素子４０を有するリモコン受信部４と、保持部３に収納されて受光素子４０で受信された無線信号に応じて給電部材１への給電を入／切する制御部５とを備えている。
【００１３】
ダクト本体２は、図１（ｂ）に示すように、例えばアルミ等の金属又は樹脂材料から成る長尺の箱体の下面を長手方向に亘って開口した断面略コ字状に形成されている。ダクト本体２の左右両側壁内面には、絶縁体から成る一対の支持部材２３がそれぞれの長手方向に亘って設けられ、この支持部材２３に支持されて長手方向に沿って互いに対向するように給電用の一対の給電部材１が敷設されている。該給電部材１にダクト本体２下面の開口部２２を介して一乃至複数の照明器具（図示せず）を着脱自在に取り付けることができ、これら照明器具は、自身の有するプラグ（図示せず）が給電部材１に挟持されることで給電部材１と機械的且つ電気的に接続される。
【００１４】
保持部３は、例えば樹脂材料で上面を開口した箱体に形成され、前面及び後面である略矩形状の側壁部３１と、下面である板状の底壁部３０とを有する。底壁部３０は、図１（ｂ）に示すように、左右方向における略中央が頂点となるように下方に湾曲して形成され、ダクト本体２の上面が底壁部３０の前後方向に亘って取付固定されている。保持部３の内部には、後述するリモコン受信部４、制御部５が収納されており、制御部５には引掛シーリングキャップ８から伸長するコードの一端が接続されている（図３参照）。
【００１５】
ダクト本体２の前端部には、図１（ａ）に示すように、各給電部材１の一端とそれぞれ電気的に接続された電源線（図示せず）の一端が収納される給電用キャップ２０が取り付けられている。電源線の他端は、図示しないが保持部３の制御部５と接続されており、引掛シーリングキャップ８が天井７の引掛シーリングボディ（図示せず）又は引掛シーリングローゼット（図示せず）に接続された状態において、商用電源（図示せず）から引掛シーリングキャップ８、制御部５、電源線を介して給電部材１に給電し、給電部材１を介して照明器具に電源が供給される。
【００１６】
リモコン受信部４は、図１（ｂ）に示すように、外部のリモコンから送信される無線信号（例えば赤外線）を受信すると該信号を電気信号に変換する受光素子４０と、該受光素子４０からの電気信号を処理するための信号処理回路４１を第一のプリント配線板４２に実装して成り、外部のリモコンから送信される無線信号を受光素子４０で受信し、得られた電気信号を信号処理回路４１を介して制御部５に出力する。受光素子４０は、例えばフォトダイオードから成り、その光軸は上下方向と一致するように設けられ、後述する受光窓６２及び開口窓６３を介して底壁部３０の外部に臨むようになっている。
【００１７】
制御部５は、図１（ｂ）に示すように、複数の電子部品からなる制御回路５０を第二のプリント配線板５１に実装して成り、リモコン受信部４から出力される電気信号に応じて、例えばリレーによって給電部材１への給電を入／切することで、ダクト本体２に取り付けられる照明器具の点灯及び消灯を制御する。また、リモコン受信部４から出力される電気信号に応じて給電部材１への単位時間当たりの給電量を制御（例えばＰＷＭ制御）することで照明器具の調光を行う。尚、上記リモコン受信部４及び制御部５の構成は周知であるので、ここでは詳細な説明を省略する。
【００１８】
底壁部３０の右側前端部には、図１（ｂ）に示すように、底壁部３０に着脱自在に取り付けられるカバー３２が備えられており、カバー３２には、受光素子４０を外部に臨ませるための略円形状の受光窓６２と、受光窓６２よりも大きい径を有する略円形状の開口窓６３とが貫設され、受光窓６２の周縁と開口窓６３の周縁との間には第一の傾斜部６０及び第二の傾斜部６１が形成されている。尚、開口窓６３は、右上方向に傾斜したカバー３２に貫設されているため、右上方向に傾斜している。
【００１９】
第一の傾斜部６０及び第二の傾斜部６１は、受光窓６２の周縁と開口窓６３の周縁とを繋ぐように擂り鉢状に一体となって形成されており、第一の傾斜部６０は、左右方向において受光素子４０の光軸よりも左側、即ちダクト本体２に近い方に、第二の傾斜部６１は、左右方向において受光素子４０の光軸よりも右側、即ちダクト本体２から遠い方に設けられ、何れもカバー３２と一体に形成されている。
【００２０】
また、第一の傾斜部６０及び第二の傾斜部６１は、図１（ｂ）に示すように、第一の傾斜部６０に平行する直線と受光素子４０の光軸との成す角度Ａが４５度以下、第二の傾斜部６１に平行する直線と受光素子４０の光軸との成す角度Ｂが４５度以上となるようにそれぞれ形成されており、受光素子４０の無線信号の受光範囲を広げるようになっている。また、開口窓６３を右上方向に傾斜させることで、傾斜しない場合、即ち開口窓６３が天井７と平行な場合と比較して、ダクト本体２の右側における受光素子４０の無線信号の受光範囲を広げている。尚、本実施形態では受光窓６２及び開口窓６３を底壁部３０の右側後端部のカバー３２に貫設しているが、底壁部３０の湾曲した箇所であれば何れの箇所に貫設してもよく、例えば底壁部３０の左側にカバー３２を設け、該カバー３２に貫設しても構わない。また、外部のリモコンから送信される無線信号を反射させて受光素子４０に導光できるように、第一の傾斜部６０及び第二の傾斜部６１のそれぞれの内面を反射面としてもよい。
【００２１】
以下、本実施形態の配線ダクトを天井７に取り付ける方法を図３を用いて説明する。本実施形態の配線ダクトを天井７に取り付けるには、まず略矩形状の取付板９を天井７に設けられた引掛シーリングボディ又は引掛シーリングローゼットに取り付ける必要がある。以下では、天井７に引掛シーリングボディが設けられている場合について説明する。取付板９の前側略中央には、略円形状の挿通孔９０が貫設されており、この挿通孔９０の周囲には、４つの略円弧状の取付孔９３が周方向に亘って等間隔に貫設されている。また、取付板９の前端部及び後端部には、それぞれ略矩形状の取付片９１が下方に向かって突設されており、各取付片９１の略中央には組立ネジ３１ｂが挿通される保持部取付孔９２が貫設されている。
【００２２】
取付板９を天井７に取り付けるには、まず天井７に設けられた引掛シーリングボディを挿通孔９０に挿通させ、引掛シーリングボディ周縁に備え付けられた取付ネジ（図示せず）の頭部を取付孔９３の大径端部９３ａに挿通させた後に取付板９を時計回りに回転させることで取付板９が引掛シーリングボディに固定される。次に、保持部３の引掛シーリングキャップ８を引掛シーリングボディに接続し、保持部３の側壁部３１にそれぞれ貫設された丸孔３１ａと取付板９の保持部取付孔９２とを重ね合わせ、組立ネジ３１ｂを挿通して螺合することで取付板９に保持部３を取付固定する。その後、図２に示すように、ダクト本体２上面の前後両端部に設けられて上下方向に伸縮自在のアジャスタ２１を調整し、各アジャスタ２１の上端部を天井７に当接させることで、ダクト本体２が傾かないように本実施形態の配線ダクトが天井７に取り付けられる。
【００２３】
上述のように、受光素子４０を保持部３の内部に配置することで、受光素子４０を目立たなくすることができ、したがって配線ダクトの外観を損なうことがない。また、カバー３２に受光窓６２及び開口窓６３を貫設し、受光窓６２の周縁と開口窓６３の周縁とを繋ぐように第一の傾斜部６０及び第二の傾斜部６１を擂り鉢状に形成したので、受光素子４０の無線信号の受光範囲を広げることができ、したがって無線信号の受信感度を向上することができる。また、保持部３の底壁部３０にダクト本体２の上面が取り付けられるためにダクト本体２の開口部２２が塞がれることがないので、照明器具の取り付け箇所の制限が無くなり、したがって照明器具をダクト本体２の給電部材１の何れの位置にも自由に取り付けることができる。
【００２４】
また、第一の傾斜部６０及び第二の傾斜部６１をそれぞれ受光素子４０の光軸に対して前述の角度となるように配設したので、受光素子４０の受光範囲を広げると共に、ダクト本体２の中央部近傍に取り付けられた照明器具によって反射される無線信号を受信し易くなり、したがって無線信号の受信感度を向上することができる。
【００２５】
尚、底壁部３０のカバー３２において開口窓６３を貫設せずに、開口窓６３に当たる箇所を外部のリモコンから送信される無線信号を透過する半透明の別材料で形成するようにしてもよく、この場合も上記と同様の効果を奏することができる。
【図面の簡単な説明】
【００２６】
【図１】本発明の実施形態の配線ダクトを示す図で、（ａ）は下方から見た平面図で、（ｂ）はａ−ａ線断面矢視図である。
【図２】同上の正面図である。
【図３】同上の全体斜視図である。
【符号の説明】
【００２７】
１  給電部材
２  ダクト本体
３  保持部
３０  底壁部
４０  受光素子
５  制御部
６０  第一の傾斜部
６１  第二の傾斜部
６２  受光窓
６３  開口窓
【図１】
2008010200.tif 000003
【図２】
2008010200.tif 000004
【図３】
2008010200.tif 000005